(57)【要約】【課題】簡単な構成で収納家具の上面と天井面との間の距離の違いに対応して確実に収納家具の転倒防止を図ることができる。【解決手段】収納家具１の上面と天井面２との間に突っ張り状に介在設置されて収納家具１を保持固定するための収納家具保持固定具３である。収納家具１の上面に載設される基体部４と、上端部が天井面２に当接する当て板５となった当て部６と、基体部４と当て部６を連結する連結部７とを備える。連結部７が直立する切断可能な木質系の板材よりなる。上端部又は下端部の少なくとも一方が切断除去された同連結部７を介して基体部４と当て部６とが連結してある。【選択図】図１
2009050574.tif 000002
【特許請求の範囲】
【請求項１】
収納家具の上面と天井面との間に突っ張り状に介在設置されて収納家具を保持固定するための収納家具保持固定具であり、収納家具の上面に載設される基体部と、上端部が天井面に当接する当て板となった当て部と、基体部と当て部を連結する連結部とを備え、連結部が直立する切断可能な木質系の板材よりなり、上端部又は下端部の少なくとも一方が切断除去された連結部を介して基体部と当て部とが連結してあることを特徴とする収納家具保持固定具。
【請求項２】
当て部がねじ機構によって高さ調整自在となっていることを特徴とする請求項１記載の収納家具保持固定具。
【請求項３】
連結部が対に並設された一対の板材であることを特徴とする請求項１又は請求項２記載の収納家具保持固定具。
【請求項４】
基体部に上方に開口する下連結溝部を設け、当て部の下部に下方に開口する上連結溝部を設け、連結部を構成する板材の下端部及び上端部をそれぞれ下連結溝部及び上連結溝部に嵌め込んで成ることを特徴とする請求項１乃至請求項３のいずれか一項に記載の収納家具保持固定具。
【請求項５】
基体部と板材の下端部との間又は当て部と板材の上端部との間の少なくとも一方に、当て部を天井面側に弾性付勢するためのばね材を設けて成ることを特徴とする請求項４記載の収納家具保持固定具。
【請求項６】
ばね材が板ばねであることを特徴とする請求項５記載の収納家具保持固定具。
【発明の詳細な説明】
【技術分野】
【０００１】
本発明は、収納家具が地震などで転倒するのを防止するために収納家具の上面と天井面との間に突っ張り状に介在設置される収納家具保持固定具に関するものである。
【背景技術】
【０００２】
従来から、地震時等における収納家具の転倒を防止するために、収納家具の上面と天井面との間に突っ張り状に介在設置されて収納家具を保持固定するための高さ調整機能を備えた収納家具保持固定具が特許文献１により知られている。
【０００３】
この特許文献１に示された従来例は家具の上面に載置する基体部から上方に下側パイプを突設し、天井面に当接する当接板の下面から上側パイプを垂設し、上側パイプを下側パイプに上下移動自在に嵌め込み、任意の移動位置で止め手段により上側パイプが下側パイプに対して移動しないようにしている。
【０００４】
しかしながら、この従来例にあっては、上側パイプの下側パイプへの嵌め込み深さの範囲でしか高さ調整ができず、このため、収納家具の設置場所により、十数ｃｍ〜数十ｃｍの範囲で異なる収納家具の上面と天井面との間の距離の違いに対応するには、収納家具の上面と天井面との間の距離の違いに応じて複数種類の収納家具保持固定具を必要とするという問題があった。
【０００５】
また、ねじ機構により上下高さ調整を行うものもあるが、このねじ機構による高さ調整で行うものも、ねじの螺合範囲内でしか高さ調整ができないため、収納家具の設置場所により、十数ｃｍ〜数十ｃｍの範囲で異なる収納家具の上面と天井面との間の距離の違いに対応するには、収納家具の上面と天井面との間の距離の違いに応じて複数種類の収納家具保持固定具を必要とするという問題があった。
【特許文献１】実開昭５５−８１６１１号公報
【発明の開示】
【発明が解決しようとする課題】
【０００６】
本発明は上記の従来の問題点に鑑みて発明したものであって、簡単な構成で収納家具の上面と天井面との間の距離の違いに対応して確実に収納家具の転倒防止を図ることができる収納家具保持固定具を提供することを課題とするものである。
【課題を解決するための手段】
【０００７】
上記課題を解決するために本発明に係る収納家具保持固定具は、収納家具１の上面と天井面２との間に突っ張り状に介在設置されて収納家具１を保持固定するための収納家具保持固定具３であり、収納家具１の上面に載設される基体部４と、上端部が天井面２に当接する当て板５となった当て部６と、基体部４と当て部６を連結する連結部７とを備え、連結部７が直立する切断可能な木質系の板材よりなり、上端部又は下端部の少なくとも一方が切断除去された同連結部７を介して基体部４と当て部６とが連結してあることを特徴とするものである。
【０００８】
このような構成とすることで、直立する切断可能な木質系の板材よりなる連結部７を、収納家具１の上面と天井面２との間の距離から、基体部４と当て部６の上下高さを引いた長さとなるように、鋸などで現場において切断することで、収納家具１の上面と天井面との間の距離の違いに対応して簡単且つ確実に、収納家具１の上面と天井面２との間に突っ張り状に介在設置して、地震時等に収納家具１の転倒を防止することができる。
【０００９】
また、当て部６がねじ機構によって高さ調整自在となっていることが好ましい。
【００１０】
このような構成とすることで、直立する板材よりなる連結部７を切断して収納家具１の上面と天井面２との間に突っ張り状に介在設置した場合、僅かな寸法誤差が生じていても、ねじ機構により当て部６の高さ調整をすることで、確実に当て部６の上端部の当て板５を天井面２に強く押し当てて、確実に地震時等に収納家具１の転倒を防止することができる。
【００１１】
また、連結部７が対に並設された一対の板材であることが好ましい。
【００１２】
このような構成とすることで、並設された一対の板材よりなる連結部７により収納家具１の転倒防止が安定してできる。
【００１３】
また、基体部４に上方に開口する下連結溝部２５を設け、当て部６の下部に下方に開口する上連結溝部２６を設け、連結部７を構成する板材の下端部及び上端部をそれぞれ下連結溝部２５及び上連結溝部２６に嵌め込むものであることが好ましい。
【００１４】
このような構成とすることで、板材よりなる基体部４の下端部及び上端部を下連結溝部２５、上連結溝部２６に挿入して嵌め込むことで、簡単に組み合わせることができる。
【００１５】
また、基体部４と板材の下端部との間又は当て部６と板材の上端部との間の少なくとも一方に、当て部６を天井面２側に弾性付勢するためのばね材８を設けることが好ましい。
【００１６】
このような構成とすることで、板材よりなる連結部７の下端部及び上端部を下連結溝部２５、上連結溝部２６に挿入して嵌め込むことで、確実に当て板５を天井面２側に弾性付勢し、天井面２に押し当てることが可能と成る。
【００１７】
また、ばね材８が板ばねであることが好ましい。
【００１８】
このような構成とすることで、板ばねをガイドとして板材よりなる連結部７を側方より簡単に挿入することができる。
【発明の効果】
【００１９】
本発明にあっては、連結部が直立する切断可能な木質系の板材よりなり、上端部又は下端部の少なくとも一方が切断除去された同連結部を介して基体部と当て部とが連結してあるので、連結部を現場に応じて切断することで、簡単な構成で収納家具の上面と天井面との間の距離の違いに対応して確実に収納家具の転倒防止を図ることができる。
【発明を実施するための最良の形態】
【００２０】
以下、本発明を添付図面に示す実施形態に基いて説明する。
【００２１】
本発明の収納家具保持固定具３は、収納家具１の上面に載設される基体部４と、上端部が天井面２に当接する当て板５となった当て部６と、基体部４と当て部６を連結する連結部７とで構成してある。
【００２２】
連結部７は木質系の縦板状の板材により構成してあり、鋸などの切断治具により切断可能となっている。
【００２３】
当て部６は、基材１０と、基材１０上に設けたねじ機構による高さ調整部１１と、高さ調整部１１の上に設けた当て板５とで構成してある。
【００２４】
すなわち、図３に示すように、横板状をした基材１０の上に、高さ調整部１１のＥ字状をしたフレーム材１２の下横片１３を固着してあり、Ｅ字状のフレーム材１２の中横片１４にはねじ棒１５を上方には移動できるが下方には移動できないように支持するための戻り防止機構１６が前後に複数設けてある。戻り防止機構１６は、中横片１４に円錐形状に傾斜した挿通部１７を設けると共に円錐形状をした挿通部１７の中央部である頂部に貫通孔１８を設けて構成してある。貫通孔１８はねじ棒１５の外径とほぼ同じか又はやや小さく、貫通孔１８はねじ棒１５を挿通すると、貫通孔１８の縁の一部がねじ棒１５の外周の雄ねじに斜め上方に向けて食い込むように当たる。したがって、ねじ棒１５を回転するとねじ棒１５の外周の雄ねじが貫通孔１８の縁に沿って螺合回転してねじ棒１５を上下方向に移動することができる。また、ねじ棒１５に上方に押し上げる力を加えると、ラチェットと同じ原理で上方には移動できるが、ねじ棒１５を下方に引き下げる力が作用しても貫通孔１８の縁がねじ棒１５の外周の雄ねじに斜め上方に向けて食い込んで、ねじ棒１５を下方に移動することができないようになっている。
【００２５】
ねじ棒１５にはばね受け部１９が螺合して設けてあり、回転することでねじ棒１５に対する螺合位置を上下方向に変えることがきるようになっている。ばね受け部１９と挿通部１７の上端部との間にはねじ棒１５を上方に押し上げようとする付勢力を付勢するばね２０が介在してある。
【００２６】
ここで、ねじ棒１５の上部はＥ字状のフレーム材１２の上横片２１の孔に上下に挿通してあり、更にねじ棒１５の上端には当て板５が回動自在で且つねじ棒１５に対しては上下方向には移動しないように取付けてある。
【００２７】
上記の図１、図２に示す実施形態においては、まず、収納家具１の上面と天井面２との間の距離から、基体部４と当て部６の上下高さを引いた長さとなるように、切断可能な木質系の板材よりなる連結部７を、鋸などで現場において上端部又は下端部の少なくとも一方又は両方を切断する。
【００２８】
次に、この切断した連結部７の下端部及び上端部をそれぞれ、基体部４、当て部６に連結手段２２により連結して収納家具保持固定具３を形成する。
【００２９】
図１、図２に示す実施形態においては、本発明の一実施形態が示してあり、この実施形態においては、連結手段２２が、Ｌ型の連結金具２３とねじ具のような固着具２４とで構成してあり、Ｌ型の連結金具２３の横片を基体部４の上面に当てて固着具２４で固着すると共に、Ｌ型の連結金具２３の縦片を連結部７の側面に当てて固着具２４で固着し、更に、別のＬ型の連結金具２３の横片を基材１０の下面に当てて固着具２４で固着すると共に、Ｌ型の連結金具２３の縦片を連結部７の側面に当てて固着具２４で固着することで、連結部７で基体部４と当て部６の基材１０とを連結するようになっている。
【００３０】
このように３部材を組み合わせ連結した収納家具保持固定具３を収納家具１の上面部と天井面２との間に挿入し、高さ調整部１１の構成部材であるねじ棒１５に上方に押し上げる力を加えてスライドにより移動させて当て板５を天井面２に当接させたり、あるいはねじ棒１５を回転して当て板５を当接させる。この場合、ねじ棒１５に上方に押し上げる力を加えてスライドにより移動させて素早く天井面２近くに当て板５を位置させ、その後、ねじ棒１５を回転して確実にねじ棒１５上端に設けた当て板５を天井面２に強く押付け当接させようにしてもよい。また、ばね受け部１９を回転してばね２０を圧縮しておく。これによりねじ棒１５は上方への押し上げ力が作用するが、当て板５が天井面２にすでに押し当たっているため当て板５には上方への押し上げ力が作用したままの状態が維持される。このように収納家具保持固定具３を収納家具１と天井面２との間に突っ張り状に配設して収納家具１を保持し、地震等の際に収納家具１が転倒するのを防止する。
【００３１】
何らかの理由で、収納家具１が下方に沈み込むと、上記圧縮されたばね２０の弾性付勢力によりねじ棒１５の雄ねじが貫通孔１８の縁を乗り越えてねじ棒１５が貫通孔１８を上方に移動することで、ねじ棒１５（つまりねじ棒１５の上端に取付けた当て板５）が収納家具１に対して相対的に上方に移動し、当て板５が天井面２に当接した状態が維持される。したがって、収納家具１が沈み込んでも収納家具１の転倒を防止することができる。
【００３２】
図４、図５には本発明の他の実施形態が示してある。本実施形態においては、基体部４を金属板により形成し、この基体部４を形成する金属板の両端部をＵ字状に屈曲して前後方向及び上方に向けて開口する下連結溝部２５を形成し、また、当て部６の基材１０を金属板により形成し、この基材１０を形成する金属板の両端部をＵ字状に屈曲して前後方向及び下方に向けて開口する上連結溝部２６を形成してある。そして、上連結溝部２６又は下連結溝部２５のいずれか一方に板ばねよりなるばね材８を内装してある。図４、図５に示す実施形態では下連結溝部２５内に板ばねよりなるばね材８が配置してある。該板ばねは下連結溝部２５又は上連結溝部２６の底に長手方向に沿って板ばねの面が水平に対して傾斜するように取付けてある。また、本実施形態では連結部７が一対の板材より構成してある。
【００３３】
本実施形態においては、まず、収納家具１の上面と天井面２との間の距離から、基体部４と当て部６の上下高さを引いた長さとなるように、連結部７を構成する一対の切断可能な木質系の板材を、それぞれ鋸などで現場において上端部又は下端部の少なくとも一方又は両方を切断する。
【００３４】
その後、上記連結部７を構成する切断後の一対の板材を、基体部４と当て部６との間に側方から挿入して、板材の下端部及び上端部をそれぞれ基体部４の一側端部に設けた前後方向及び上方に開口する下連結溝部２５に挿入して嵌め込むと共に基材１０の一側端部に設けた前後方向及び下方に開口する上連結溝部２６に挿入して嵌め込む。このようにして連結部７を構成する一対の板材を側方より挿入して基体部４と当て部６との間に介在させる。
【００３５】
上記のように基体部４と、当て部６と、連結部７を組み合わせた収納家具保持固定具３は、収納家具１の上面と天井面２との間に配置されて、収納家具１の上面に基体部４を載置すると共に、当て部６の当て板５を天井面２に当接する。
【００３６】
この場合、上記のように、一対の板材の下端部及び上端部を下連結溝部２５及び上連結溝部２６に挿入した状態で、下連結溝部２５又は上連結溝部２６内に配置した板ばねよりなるばね材８でそれぞれ一対の板材が弾性的に押されるので、該ばね材８のばね力で当て部６が天井面２側に押し上げられることになり、当て部６の上端部の当て板５が天井に当接する。この状態で、さらにねじ棒１５を回転して確実にねじ棒１５上端に設けた当て板５を天井面２に強く押付ける。
【００３７】
また、ばね材８による押し上げ力のみでは当て板５が天井面２に当接していない場合は、高さ調整部１１の構成部材であるねじ棒１５に上方に押し上げる力を加えてスライドにより移動させて当て板５を天井面２に当接させたり、あるいはねじ棒１５を回転して当て板５を当接させる。この場合、ねじ棒１５に上方に押し上げる力を加えてスライドにより移動させて素早く天井面２近くに当て板５を位置させ、その後、ねじ棒１５を回転して確実にねじ棒１５上端に設けた当て板５を天井面２に強く押付け当接させようにしてもよい。また、ばね受け部１９を回転してばね２０を圧縮しておく。これによりねじ棒１５は上方への押し上げ力が作用するが、当て板５が天井面２にすでに押し当たっているため当て板５には上方への押し上げ力が作用したままの状態が維持される。このように収納家具保持固定具３を収納家具１と天井面２との間に突っ張り状に配設して収納家具１を保持し、地震等の際に収納家具１が転倒するのを防止する。
【００３８】
本発明においても、何らかの理由で、収納家具１が下方に沈み込むと、上記圧縮されたばね２０の弾性付勢力によりねじ棒１５の雄ねじが貫通孔１８の縁を乗り越えてねじ棒１５が貫通孔１８を上方に移動することで、ねじ棒１５（つまりねじ棒１５の上端に取付けた当て板５）が収納家具１に対して相対的に上方に移動し、当て板５が天井面２に当接した状態が維持される。したがって、収納家具１が沈み込んでも収納家具１の転倒を防止することができる。
【００３９】
本実施形態では、下連結溝部２５、上連結溝部２６が連結部７の下端部及び上端部を基体部４と当て部６とに連結する連結手段２２となっているが、必要に応じて、更に、下連結溝部２５、上連結溝部２６の各外側縦片から木ねじ３０を連結部７を構成する板材に打ち込むことを併用してもよく、この場合は、下連結溝部２５、上連結溝部２６、及び木ねじ３０により連結手段２２が構成されることになる。このように嵌め込みに加えて木ねじ３０を併用する場合は、ばね材８を内装しない方の連結溝部側のみ先に木ねじ３０を打ち込み、収納家具保持固定具３を収納家具１と天井面２との間に配置した後、ばね材８により当て板５を押し上げ天井面２に当接又は近接し状態で、ばね材８を内装した方の連結溝部側に木ねじ３０を打ち込むようにしたり、あるいは、いずれの木ねじ３０も収納家具保持固定具３を収納家具１と天井面２との間に配置した後、ばね材８を当て板５を押し上げ天井面２に当接又は近接し状態で木ねじ３０を打ち込むようにする。
【００４０】
なお、上記したように、ばね材８を板ばねで構成し、該板ばねを下連結溝部２５又は上連結溝部２６の底に長手方向に沿って板ばねの面が水平に対して傾斜するように取付けることで、連結部７を構成する板材の下端部及び上端部を下連結溝部２５、上連結溝部２６に側方より差し込んで嵌め込む際に、板ばねの傾斜した面をガイドとして簡単に挿入することができる。
【００４１】
また、上記したいずれの実施形態においても、図６のように当て板５の上面にクッション部材４０を設けておくと、当て板５を天井面２に押し当てた際に天井面２を傷つけないようになっている。
【図面の簡単な説明】
【００４２】
【図１】本発明の収納家具保持固定具の一実施形態の斜視図である。
【図２】同上の収納家具保持固定具の施工状態を示す断面図である。
【図３】同上の収納家具保持固定具に用いる当て部の高さ調整部を示す拡大断面図である。
【図４】本発明の収納家具保持固定具の他の実施形態の斜視図である。
【図５】同上の収納家具保持固定具の施工状態を示す断面図である。
【図６】本発明の収納家具保持固定具に用いる当て板の他例を示す斜視図である。
【符号の説明】
【００４３】
１  収納家具
２  天板
３  収納家具保持固定具
４  基体部
５  当て板
６  当て部
７  連結部
８  ばね材
２５  下連結溝部
２６  上連結溝部
【図１】
2009050574.tif 000003
【図２】
2009050574.tif 000004
【図３】
2009050574.tif 000005
【図４】
2009050574.tif 000006
【図５】
2009050574.tif 000007
【図６】
2009050574.tif 000008